(57)【要約】得られる画像情報から直接的に、画質の良い画像が得るセンサ位置を判定することができる撮像装置、撮像方法、及びプログラムを提供する。撮像装置は、イメージセンサを撮像レンズの光軸方向の複数のセンサ位置に移動させて、複数のセンサ位置の各々で被写体を合焦させる。複数のセンサ位置の各々で合焦された被写体の画像データを取得して、その画像データを解析して複数のセンサ位置の各々における画像評価値を算出する。
2019188934.tif 000002
【特許請求の範囲】
【請求項１】
撮像レンズのフォーカスレンズを移動させて焦点調節を行う焦点調節部と、
前記撮像レンズを通過した光学像を撮像し、元画像データを出力するイメージセンサと、
前記イメージセンサを前記撮像レンズの光軸方向の複数のセンサ位置に移動させるイメージセンサ移動制御部と、
前記焦点調節部と前記イメージセンサ移動制御部を駆動し、前記複数のセンサ位置の各々で被写体を合焦させる合焦制御部と、
前記イメージセンサから出力される前記元画像データに基づいて、前記合焦制御部によって前記複数のセンサ位置の各々で合焦された前記被写体の画像データを取得する撮像制御部と、
前記撮像制御部が取得した複数の前記被写体の画像データを解析して前記複数のセンサ位置の各々における画像評価値を算出する画像評価部と、
を備える撮像装置。
【請求項２】
前記複数のセンサ位置の各々で取得した前記画像評価値に基づいて、前記イメージセンサの最適位置を判定する最適位置判定部を備え、
前記イメージセンサ移動制御部は、前記最適位置に前記イメージセンサを移動させる請求項１に記載の撮像装置。
【請求項３】
前記画像データを保存するメモリと、
前記複数のセンサ位置の各々で取得した前記画像評価値に基づいて、前記メモリに保存する前記画像データを決定する保存決定部と、
を備える請求項１又は２に記載の撮像装置。
【請求項４】
前記焦点調節部は、インナーフォーカス方式又はリアフォーカス方式により、焦点調節を行わせる請求項１から３のいずれか１項に記載の撮像装置。
【請求項５】
前記合焦制御部、前記撮像制御部、及び前記画像評価部を動作させる画像評価モードを設定するモード設定部を備える請求項１から４のいずれか１項に記載の撮像装置。
【請求項６】
前記撮像レンズが装着されるマウントを備え、
前記モード設定部は、前記マウントに装着された前記撮像レンズの種類に応じて自動で前記画像評価モードを設定する請求項５に記載の撮像装置。
【請求項７】
前記画像評価部は、前記画像データにおいて前記被写体の位置である被写体位置と周辺位置との少なくとも２箇所において、解析を行い前記画像評価値を算出する請求項１から６のいずれか１項に記載の撮像装置。
【請求項８】
前記周辺位置は、前記被写体の距離情報に基づいて決定される請求項７に記載の撮像装置。
【請求項９】
前記画像評価部は、前記画像データのコントラストに基づいて前記画像評価値を算出する請求項１から８のいずれか１項に記載の撮像装置。
【請求項１０】
前記画像評価部は、前記画像データから取得される空間周波数特性に基づいて前記画像評価値を算出する請求項１から９のいずれか１項に記載の撮像装置。
【請求項１１】
前記画像評価部は、前記画像データから取得される色ずれ量に基づいて前記画像評価値を算出する請求項１から１０のいずれか１項に記載の撮像装置。
【請求項１２】
前記画像評価部は、前記画像データから取得されるシェーディング特性に基づいて前記画像評価値を算出する請求項１から１１のいずれか１項に記載の撮像装置。
【請求項１３】
撮像レンズのフォーカスレンズを移動させて焦点調節を行う焦点調節部と、
前記撮像レンズを通過した光学像を撮像し、元画像データを出力するイメージセンサと、
前記イメージセンサを前記撮像レンズの光軸方向の複数のセンサ位置に移動させるイメージセンサ移動制御部と、
前記焦点調節部がマニュアルフォーカス操作による焦点調節指示を受け付けた場合に、前記イメージセンサ移動制御部を駆動し、前記複数のセンサ位置の各々で被写体を合焦させる合焦制御部と、
前記イメージセンサから出力される前記元画像データに基づいて、前記合焦制御部によって前記複数のセンサ位置の各々で合焦された前記被写体の画像データを取得する撮像制御部と、
前記撮像制御部が取得した複数の前記被写体の画像データを解析して前記複数のセンサ位置の各々における画像評価値を算出する画像評価部と、
を備える撮像装置。
【請求項１４】
前記複数のセンサ位置の各々で取得した前記画像評価値に基づいて、前記イメージセンサの最適位置を判定する最適位置判定部を備え、
前記イメージセンサ移動制御部は、前記最適位置に前記イメージセンサを移動させる請求項１３に記載の撮像装置。
【請求項１５】
前記画像データを保存するメモリと、
前記複数のセンサ位置の各々で取得した前記画像評価値に基づいて、前記メモリに保存する前記画像データを決定する保存決定部と、
を備える請求項１３又は１４に記載の撮像装置。
【請求項１６】
前記焦点調節部は、インナーフォーカス方式又はリアフォーカス方式により、焦点調節を行わせる請求項１３から１５のいずれか１項に記載の撮像装置。
【請求項１７】
撮像レンズのフォーカスレンズを移動させて焦点調節を行う焦点調節ステップと、
前記撮像レンズを通過した光学像を撮像し、元画像データを出力するイメージセンサを、前記撮像レンズの光軸方向の複数のセンサ位置に移動させるイメージセンサ移動制御ステップと、
前記焦点調節ステップと前記イメージセンサ移動制御ステップにより、前記複数のセンサ位置の各々で被写体を合焦させる合焦制御ステップと、
前記イメージセンサから出力される前記元画像データに基づいて、前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
を含む撮像方法。
【請求項１８】
撮像レンズのフォーカスレンズを移動させて焦点調節を行う焦点調節ステップと、
前記撮像レンズを通過した光学像を撮像し、元画像データを出力するイメージセンサを前記撮像レンズの光軸方向の複数のセンサ位置に移動させるイメージセンサ移動制御ステップと、
前記焦点調節ステップがマニュアルフォーカス操作による焦点調節指示を受け付けた場合に、前記イメージセンサ移動制御ステップを駆動し、前記複数のセンサ位置の各々で被写体を合焦させる合焦制御ステップと、
前記イメージセンサから出力される前記元画像データに基づいて、前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
を含む撮像方法。
【請求項１９】
撮像レンズのフォーカスレンズを移動させて焦点調節を行う焦点調節ステップと、
前記撮像レンズを通過した光学像を撮像し、元画像データを出力するイメージセンサを、前記撮像レンズの光軸方向の複数のセンサ位置に移動させるイメージセンサ移動制御ステップと、
前記焦点調節ステップと前記イメージセンサ移動制御ステップにより、前記複数のセンサ位置の各々で被写体を合焦させる合焦制御ステップと、
前記イメージセンサから出力される前記元画像データに基づいて、前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
を含む撮像工程をコンピュータに実行させるプログラム。
【請求項２０】
撮像レンズのフォーカスレンズを移動させて焦点調節を行う焦点調節ステップと、
前記撮像レンズを通過した光学像を撮像し、元画像データを出力するイメージセンサを前記撮像レンズの光軸方向の複数のセンサ位置に移動させるイメージセンサ移動制御ステップと、
前記焦点調節ステップがマニュアルフォーカス操作による焦点調節指示を受け付けた場合に、前記イメージセンサ移動制御ステップを駆動し、前記複数のセンサ位置の各々で被写体を合焦させる合焦制御ステップと、
前記イメージセンサから出力される前記元画像データに基づいて、前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
を含む撮像工程をコンピュータに実行させるプログラム。
【請求項２１】
非一時的かつコンピュータ読取可能な記録媒体であって、前記記録媒体に格納された指令がコンピュータによって読み取られた場合に、
撮像レンズのフォーカスレンズを移動させて焦点調節を行う焦点調節ステップと、
前記撮像レンズを通過した光学像を撮像し、元画像データを出力するイメージセンサを、前記撮像レンズの光軸方向の複数のセンサ位置に移動させるイメージセンサ移動制御ステップと、
前記焦点調節ステップと前記イメージセンサ移動制御ステップにより、前記複数のセンサ位置の各々で被写体を合焦させる合焦制御ステップと、
前記イメージセンサから出力される前記元画像データに基づいて、前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
を含む撮像工程をコンピュータに実現させる記録媒体。
【請求項２２】
非一時的かつコンピュータ読取可能な記録媒体であって、前記記録媒体に格納された指令がコンピュータによって読み取られた場合に、
撮像レンズのフォーカスレンズを移動させて焦点調節を行う焦点調節ステップと、
前記撮像レンズを通過した光学像を撮像し、元画像データを出力するイメージセンサを前記撮像レンズの光軸方向の複数のセンサ位置に移動させるイメージセンサ移動制御ステップと、
前記焦点調節ステップがマニュアルフォーカス操作による焦点調節指示を受け付けた場合に、前記イメージセンサ移動制御ステップを駆動し、前記複数のセンサ位置の各々で被写体を合焦させる合焦制御ステップと、
前記イメージセンサから出力される前記元画像データに基づいて、前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
を含む撮像工程をコンピュータに実現させる記録媒体。
【発明の詳細な説明】
【技術分野】
【０００１】
本発明は、撮像装置、撮像方法、及びプログラムに関する。
【背景技術】
【０００２】
従来より、イメージセンサの位置をレンズの光軸の前後方向に移動させてフランジバック又はバックフォーカスの位置を調整する技術が知られている。【０００３】
特許文献１では、レンズ側の情報を用いてイメージセンサの光軸方向の位置を制御する技術が記載されている。
【先行技術文献】
【特許文献】
【０００４】
【特許文献１】特開２０１２−２２２６０２号公報
【発明の概要】
【発明が解決しようとする課題】
【０００５】
特許文献１に記載された技術では、イメージセンサの光軸方向への移動は、装着されたレンズ側の情報に基づいて行われている。具体的には、特許文献１に記載された技術では、装着されるレンズに球面収差を補正するための情報が予め記憶されており、カメラ本体にその情報が送信されることにより、イメージセンサの位置が移動される。【０００６】
一方で、撮像においては様々な要因で予め設計された値からズレてしまう場合がある。様々な要因とは例えば、カメラの製造誤差、カメラの駆動機構の作動誤差、撮像時の温度に起因する設計値からのズレ等があげられる。したがって、レンズ側に予め記憶されている情報はこれらの想定外の設計値からズレをカバーすることはできず、イメージセンサの光軸方向の移動制御が上手く行えない場合が発生する。【０００７】
本発明はこのような事情に鑑みてなされたもので、その目的は、得られる画像データから直接的に、画質の良い画像が得るセンサ位置を判定することができる撮像装置、撮像方法、及びプログラムを提供することである。
【課題を解決するための手段】
【０００８】
上記目的を達成するための本発明の一の態様である撮像装置は、撮像レンズのフォーカスレンズを移動させて焦点調節を行う焦点調節部と、撮像レンズを通過した光学像を撮像し、元画像データを出力するイメージセンサと、イメージセンサを撮像レンズの光軸方向の複数のセンサ位置に移動させるイメージセンサ移動制御部と、焦点調節部とイメージセンサ移動制御部を駆動し、複数のセンサ位置の各々で被写体を合焦させる合焦制御部と、イメージセンサから出力される元画像データに基づいて、合焦制御部によって複数のセンサ位置の各々で合焦された被写体の画像データを取得する撮像制御部と、撮像制御部が取得した複数の被写体の画像データを解析して複数のセンサ位置の各々における画像評価値を算出する画像評価部と、を備える。【０００９】
本態様によれば、合焦制御部により、焦点調節部とイメージセンサ移動制御部を駆動し、複数のセンサ位置の各々で被写体が合焦させられ、撮像制御部により、複数のセンサ位置の各々で被写体の画像データが取得される。そして、取得された複数の被写体の画像データを解析して複数のセンサ位置の各々における画像評価値が算出される。これにより、画像データを直接的に解析して得られた画像評価値に基づいて、画質の良い画像が得られるセンサ位置を得ることができる。【００１０】
好ましくは、撮像装置は、複数のセンサ位置の各々で取得した画像評価値に基づいて、イメージセンサの最適位置を判定する最適位置判定部を備え、イメージセンサ移動制御部は、最適位置にイメージセンサを移動させる。【００１１】
本態様によれば、最適位置判定部により、複数のセンサ位置の各々で取得した画像評価値に基づいて、イメージセンサの最適位置が判定され、イメージセンサ移動制御部により、最適位置にイメージセンサが移動させられる。これにより、最も画質の良い画像を取得することができるセンサ位置である最適位置を取得することができ、イメージセンサをその最適位置に移動させることができる。【００１２】
好ましくは、撮像装置は、画像データを保存するメモリと、複数のセンサ位置の各々で取得した画像評価値に基づいて、メモリに保存する画像データを決定する保存決定部と、を備える。【００１３】
本態様によれば、メモリに画像データが保存され、保存決定部により、複数のセンサ位置の各々で取得した画像評価値に基づいて、メモリに保存される画像データが決定される。これにより、画像データをメモリに効率的に保存することができる。【００１４】
好ましくは、焦点調節部は、インナーフォーカス方式又はリアフォーカス方式により、焦点調節を行わせる。【００１５】
本態様によれば、焦点調節部はインナーフォーカス方式又はリアフォーカス方式で焦点調節が行われる。ここで、インナーフォーカス方式又はリアフォーカス方式ではバックフォーカスの位置誤差に対して収差の影響が大きくなることがあるが、本態様ではインナーフォーカス方式やリアフォーカス方式であっても収差の影響が低減可能なセンサ位置を得る事ができる。【００１６】
好ましくは、撮像装置は、合焦制御部、撮像制御部、及び画像評価部を動作させる画像評価モードを設定するモード設定部を備える。【００１７】
本態様によれば、モード設定部により、合焦制御部、撮像制御部、及び画像評価部が動作させる画像評価モードが設定される。これにより、通常の撮像とは区別して画像評価モードが設定されて画像評価値を得ることができるので、より正確な撮像装置の操作を行うことができる。【００１８】
好ましくは、撮像装置は、撮像レンズが装着されるマウントを備え、モード設定部は、マウントに装着された撮像レンズの種類に応じて自動で画像評価モードを設定する。【００１９】
本態様によれば、マウントに撮像レンズが装着されると、モード設定部により装着された撮像レンズの種類に応じて自動で画像評価モードが設定される。これにより、撮像レンズの種類に応じて、効率的に画像評価値を得ることができる。【００２０】
好ましくは、画像評価部は、画像データにおいて被写体の位置である被写体位置と周辺位置との少なくとも２箇所において、解析を行い画像評価値を算出する。【００２１】
本態様によれば、画像評価部により、画像データにおいて被写体位置と周辺位置との少なくとも２箇所において、解析が行われ画像評価値が算出される。【００２２】
好ましくは、周辺位置は、被写体の距離情報に基づいて決定される。【００２３】
本態様によれば、周辺位置が被写体の距離情報に基づいて決定されるので、精度が高い画像評価値を算出することができる。【００２４】
好ましくは、画像評価部は、画像データのコントラストに基づいて画像評価値を算出する。【００２５】
本態様によれば、画像評価部により、画像データのコントラストに基づいて画像評価値が算出される。これにより、画質のコントラストに影響を与える、例えば球面収差に対応する画像評価値を取得することができ、その画像評価値に対応するセンサ位置を得ることができる。【００２６】
好ましくは、画像評価部は、画像データから取得される空間周波数特性に基づいて画像評価値を算出する。【００２７】
本態様によれば、画像評価部により、画像データから取得される空間周波数特性に基づいて画像評価値が算出される。これにより、画質の空間周波数特性に影響を与える画像評価値を取得することができ、その画像評価値に対応するセンサ位置を得ることができる。【００２８】
好ましくは、画像評価部は、画像データから取得される色ずれ量に基づいて画像評価値を算出する。【００２９】
本態様によれば、画像評価部により、画像データから取得される色ずれ量に基づいて画像評価値が算出される。これにより、色ずれ量に対応する画像評価値を取得することができ、その画像評価値に対応するセンサ位置を得ることができる。【００３０】
好ましくは、画像評価部は、画像データから取得されるシェーディング特性に基づいて画像評価値を算出する。【００３１】
本態様によれば、画像評価部により、画像データから取得されるシェーディング特性に基づいて画像評価値が算出される。これにより、シェーディング特性に対応する画像評価値を取得することができ、その画像評価値に対応するセンサ位置を得ることができる。【００３２】
本発明の他の態様である撮像装置は、撮像レンズのフォーカスレンズを移動させて焦点調節を行う焦点調節部と、撮像レンズを通過した光学像を撮像し、元画像データを出力するイメージセンサと、イメージセンサを撮像レンズの光軸方向の複数のセンサ位置に移動させるイメージセンサ移動制御部と、焦点調節部がマニュアルフォーカス操作による焦点調節指示を受け付けた場合に、イメージセンサ移動制御部を駆動し、複数のセンサ位置の各々で被写体を合焦させる合焦制御部と、イメージセンサから出力される元画像データに基づいて、合焦制御部によって複数のセンサ位置の各々で合焦された被写体の画像データを取得する撮像制御部と、撮像制御部が取得した複数の被写体の合焦状態の画像を含む画像データを解析して複数のセンサ位置の各々における画像評価値を算出する画像評価部と、を備える。【００３３】
本態様によれば、合焦制御部により、焦点調節部がマニュアルフォーカス操作による焦点調節指示を受け付けた場合に、イメージセンサ移動制御部を駆動し、複数のセンサ位置の各々で被写体を合焦させ、撮像制御部により、複数のセンサ位置の各々で被写体の画像データが取得される。そして、取得された複数の被写体の画像データを解析して複数のセンサ位置の各々における画像評価値が算出される。これにより、画像データを直接的に解析して得られた画像評価値に基づいて、画質の良い画像が得られるセンサ位置を得ることができる。【００３４】
好ましくは、撮像装置は、複数のセンサ位置の各々で取得した画像評価値に基づいて、イメージセンサの最適位置を判定する最適位置判定部を備え、イメージセンサ移動制御部は、最適位置にイメージセンサを移動させる。【００３５】
好ましくは、撮像装置は、画像データを保存するメモリと、複数のセンサ位置の各々で取得した画像評価値に基づいて、メモリに保存する画像データを決定する保存決定部と、を備える。【００３６】
好ましくは、撮像装置は、焦点調節部は、インナーフォーカス方式又はリアフォーカス方式により、焦点調節を行わせる。【００３７】
本発明の他の態様である撮像方法は、撮像レンズのフォーカスレンズを移動させて焦点調節を行う焦点調節ステップと、撮像レンズを通過した光学像を撮像し、元画像データを出力するイメージセンサを、撮像レンズの光軸方向の複数のセンサ位置に移動させるイメージセンサ移動制御ステップと、焦点調節ステップとイメージセンサ移動制御ステップにより、複数のセンサ位置の各々で被写体を合焦させる合焦制御ステップと、イメージセンサから出力される元画像データに基づいて、合焦制御ステップによって複数のセンサ位置の各々で合焦された被写体の画像データを取得する撮像制御ステップと、撮像制御ステップが取得した複数の被写体の画像データを解析して複数のセンサ位置の各々における画像評価値を算出する画像評価ステップと、を含む。【００３８】
本発明の他の態様である撮像方法は、撮像レンズのフォーカスレンズを移動させて焦点調節を行う焦点調節ステップと、撮像レンズを通過した光学像を撮像し、元画像データを出力するイメージセンサを撮像レンズの光軸方向の複数のセンサ位置に移動させるイメージセンサ移動制御ステップと、焦点調節ステップがマニュアルフォーカス操作による焦点調節指示を受け付けた場合に、イメージセンサ移動制御ステップを駆動し、複数のセンサ位置の各々で被写体を合焦させる合焦制御ステップと、イメージセンサから出力される元画像データに基づいて、合焦制御ステップによって複数のセンサ位置の各々で合焦された被写体の画像データを取得する撮像制御ステップと、撮像制御ステップが取得した複数の被写体の合焦状態の画像データを解析して複数のセンサ位置の各々における画像評価値を算出する画像評価ステップと、を含む。【００３９】
本発明の他の態様であるプログラムは、撮像レンズのフォーカスレンズを移動させて焦点調節を行う焦点調節ステップと、撮像レンズを通過した光学像を撮像し、元画像データを出力するイメージセンサを、撮像レンズの光軸方向の複数のセンサ位置に移動させるイメージセンサ移動制御ステップと、焦点調節ステップとイメージセンサ移動制御ステップにより、複数のセンサ位置の各々で被写体を合焦させる合焦制御ステップと、イメージセンサから出力される元画像データに基づいて、合焦制御ステップによって複数のセンサ位置の各々で合焦された被写体の画像データを取得する撮像制御ステップと、撮像制御ステップが取得した複数の被写体の画像データを解析して複数のセンサ位置の各々における画像評価値を算出する画像評価ステップと、を含む撮像工程をコンピュータに実行させる。【００４０】
本発明の他の態様であるプログラムは、撮像レンズのフォーカスレンズを移動させて焦点調節を行う焦点調節ステップと、撮像レンズを通過した光学像を撮像し、元画像データを出力するイメージセンサを撮像レンズの光軸方向の複数のセンサ位置に移動させるイメージセンサ移動制御ステップと、焦点調節ステップがマニュアルフォーカス操作による焦点調節指示を受け付けた場合に、イメージセンサ移動制御ステップを駆動し、複数のセンサ位置の各々で被写体を合焦させる合焦制御ステップと、イメージセンサから出力される元画像データに基づいて、合焦制御ステップによって複数のセンサ位置の各々で合焦された被写体の画像データを取得する撮像制御ステップと、撮像制御ステップが取得した複数の被写体の合焦状態の画像データを解析して複数のセンサ位置の各々における画像評価値を算出する画像評価ステップと、を含む撮像工程をコンピュータに実行させる。
【発明の効果】
【００４１】
本発明によれば、合焦制御部により、焦点調節部とイメージセンサ移動制御部を駆動し、複数のセンサ位置の各々で被写体が合焦させられ、撮像制御部により、複数のセンサ位置の各々で被写体の画像データが取得され、取得された複数の被写体の画像データを解析して複数のセンサ位置の各々における画像評価値が算出されるので、画像データを直接的に解析して得られた画像評価値に基づいて、画質の良い画像が得られるセンサ位置を得ることができる。
【図面の簡単な説明】
【００４２】
【図１】図１は、デジタルカメラの一実施形態を示す概略構成図である。
【図２】図２は、イメージセンサの概略構成を示す図である。
【図３】図３は、撮像面の一部を拡大した図である。
【図４】図４は、各画素の概略構成を示す図である。
【図５】図５は、ＡＦに係わる機能のブロック図である。
【図６】図６は、デジタル信号処理部の主な機能構成例に関して示すブロック図である。
【図７】図７は、デジタルカメラの動作を示すフロー図である。
【図８】図８は、イメージセンサの移動と交換レンズの焦点位置に関して示した図である。
【図９】図９は、イメージセンサの移動と交換レンズの焦点位置に関して示した図である。
【図１０】図１０は、イメージセンサの移動と交換レンズの焦点位置に関して示した図である。
【図１１】図１１は、球面収差について説明する図である。
【図１２】図１２は、球面収差について説明する図である。
【図１３】図１３は、シェーディング特性がイメージセンサを移動させることにより変わることを説明する図である。
【図１４】図１４は、シェーディング特性がイメージセンサを移動させることにより変わることを説明する図である。
【図１５】図１５は、シェーディング特性がイメージセンサを移動させることにより変わることを説明する図である。
【図１６】図１６は、合焦した画像の画像評価値とイメージセンサのセンサ位置との関係の一例を示す図である。
【図１７】図１７は、カメラ制御部とデジタル信号処理部との機能構成例を示す図である。
【図１８】図１８は、デジタルカメラの動作を示すフロー図である。
【図１９】図１９は、イメージセンサの移動と交換レンズの焦点位置に関して示した図である。
【図２０】図２０は、撮像レンズの例を示す図である。
【発明を実施するための形態】
【００４３】
以下、添付図面に従って本発明にかかる撮像装置、撮像方法、及びプログラムの好ましい実施の形態について説明する。
【００４４】
図１は、本発明が適用されたデジタルカメラ（撮像装置）１の一実施形態を示す概略構成図である。
【００４５】
同図に示すデジタルカメラ１は、レンズ交換式のデジタルカメラであり、交換レンズ（撮像レンズ）１０及びカメラ本体１００を備える。なお、以下の説明では、交換レンズ１０はカメラ本体１００と通信が可能であるとして説明をするが、これに限定されるものではない。交換レンズ１０は、カメラ本体１００と通信が行えないものでもよい。
【００４６】
交換レンズ１０は、撮像レンズの一例である。交換レンズ１０は、マウント１０２を介してカメラ本体１００に着脱自在に装着される。交換レンズ１０は、複数枚のレンズを組み合わせて構成される。交換レンズ１０は、フォーカスレンズ１２及び絞り１４を有する。交換レンズ１０は、フォーカスレンズ１２を光軸Ｌに沿って前後移動させることにより焦点調節される。また、絞り１４の開口量を調整することにより、光量が調整される。交換レンズ１０は、フォーカスレンズ１２をインナーフォーカス方式又はリアフォーカス方式により移動させ、焦点調節を行わせる。
【００４７】
交換レンズ１０は、フォーカスレンズ１２を駆動するフォーカスレンズ駆動部１６、及び、フォーカスレンズ１２の位置を検出するフォーカスレンズ位置検出部１８を備える。
【００４８】
フォーカスレンズ駆動部１６は、例えば、リニアモータ等のアクチュエータ、及び、その駆動回路を備えて構成され、フォーカスレンズ１２を光軸Ｌに沿って前後移動させる。
【００４９】
フォーカスレンズ位置検出部１８は、例えば、フォトインタラプタ及びＭＲセンサ（ＭＲセンサ：Magneto Resistive Sensor／磁気抵抗効果素子）で構成される。フォトインタラプタは、フォーカスレンズ１２が、あらかじめ定められた原点位置に位置したことを検出する。ＭＲセンサは、フォーカスレンズ１２の移動量を検出する。フォトインタラプタによってフォーカスレンズ１２が原点位置に位置したことを検出し、ＭＲセンサによって原点位置からのフォーカスレンズ１２の移動量を検出することにより、原点位置に対するフォーカスレンズ１２の位置を検出できる。
【００５０】
交換レンズ１０は、絞り１４を駆動する絞り駆動部２０を備える。絞り１４は、例えば、虹彩絞りで構成される。絞り駆動部２０は、虹彩絞りの絞り羽根を駆動するモータ、及び、その駆動回路を備えて構成される。
【００５１】
交換レンズ１０は、フォーカスレンズ駆動部１６及び絞り駆動部２０の駆動を制御するレンズ制御部２２を備える。レンズ制御部２２は、例えば、マイクロコンピュータで構成され、所定の制御プログラムを実行することにより、焦点調節部２２ａ（図５）、絞り駆動制御部等として機能する。焦点調節部２２ａは、フォーカスレンズ駆動部１６の駆動を制御する。絞り駆動制御は、絞り駆動部２０の駆動を制御する。レンズ制御部２２は、マウント１０２に備えられた通信端子（図示せず）を介して、カメラ本体１００のカメラ制御部１５０と通信可能に接続される。
【００５２】
カメラ本体１００は、イメージセンサ１１０、イメージセンサ移動駆動部１２０、イメージセンサ位置検出部１２２、イメージセンサ駆動部１２４、アナログ信号処理部１２６、ＡＤＣ（Analog-to-digital converter／アナログデジタル変換器）１２８、デジタル信号処理部１３０、位相差ＡＦ処理部１３２、メモリカードインタフェース１３４、メモリカード１３６、表示部１３８、操作部１４０及びカメラ制御部１５０を備える。
【００５３】
イメージセンサ１１０は、交換レンズ１０を通る光を受光して被写体の光学像を撮像し元画像データを出力する。イメージセンサ１１０は、例えば、ＣＣＤ（Charged Coupled Device）、ＣＭＯＳ（Complementary Metal Oxide Semiconductor）等の固体撮像素子で構成される。イメージセンサ１１０は、その撮像面に複数の位相差検出画素１１８を有する。
【００５４】
図２は、イメージセンサ１１０の概略構成を示す図である。
【００５５】
イメージセンサ１１０は、多数の画素がｘ方向（行方向）及びｙ方向（列方向）に二次元的に配列された撮像面１１２を有する。撮像面１１２は、複数のＡＦ（autofocus）エリア１１４を有する。ＡＦエリア１１４は、焦点合わせが可能な領域として撮像面１１２に設定された領域である。図２に示す例では、画面中央部分に９つのＡＦエリア１１４を設定しており、選択されることにより一部ＡＦエリア１１４、または全てのエリアで焦点合わせが行われる。
【００５６】
図３は、撮像面の一部を拡大した図である。
【００５７】
撮像面１１２には、多数の画素が規則的に配置される。各画素は光電変換部を備え、受光量に応じた信号を出力する。また、各画素は、Ｒ（Red／赤）、Ｇ（Green／緑）、Ｂ（Blue／青）のいずれかの色のカラーフィルタを有する。カラーフィルタは、所定の配列となるように、各画素に割り当てられる。図３は、ベイヤ配列の例を示している。なお、同図では、Ｒのカラーフィルタを有する画素（Ｒ画素）にＲの文字を付し、Ｇのカラーフィルタを有する画素（Ｇ画素）にＧの文字を付し、Ｂのカラーフィルタを有する画素（Ｂ画素）にＢの文字を付している。
【００５８】
ＡＦエリア１１４には、通常画素１１６及び位相差検出画素１１８が配置される。通常画素１１６とは、通常の撮像用の画素のことである。位相差検出画素１１８とは、位相差を検出する画素のことである。位相差検出画素１１８は、位相差検出方式のオートフォーカスセンサの一例である。位相差検出画素以外は、通常画素を構成する。ＡＦエリア以外の領域には、通常画素のみが配置される。
【００５９】
図３では、位相差検出画素１１８を斜線で示している。同図に示すように、位相差検出画素１１８は、撮像面１１２に規則的に配置される。
【００６０】
位相差検出画素１１８は、第１位相差検出画素１１８Ａ及び第２位相差検出画素１１８Ｂで構成される。第１位相差検出画素１１８Ａ及び第２位相差検出画素１１８Ｂは、互いに近接して配置される。図３に示す例では、互いに近接する同じ配列の２つの行の一方に一定の間隔で第１位相差検出画素１１８Ａを配置し、他方に一定の間隔で第２位相差検出画素１１８Ｂを配置した例を示している。特に、Ｒ画素及びＧ画素が配列された特定の行の特定のＧ画素を位相差検出画素１１８として利用した場合の例を示している。
【００６１】
図４は、各画素の概略構成を示す図である。
【００６２】
各画素は、所定の開口部を備えた遮光膜を有する。図４は、各画素に備えられる遮光膜の開口部を白抜きで示している。
【００６３】
通常画素１１６は、開口部が、光電変換部の中心と一致した遮光膜を有する。通常画素１１６は、交換レンズ１０の瞳領域のほぼ全ての部分を通過した光束を受光する。
【００６４】
第１位相差検出画素１１８Ａは、開口部が光電変換部の中心に対して右側に偏心した遮光膜を有する。この結果、第１位相差検出画素１１８Ａは、交換レンズ１０の瞳領域の異なる部分を通過した一対の光束のうち一方の光束が受光される。
【００６５】
第２位相差検出画素１１８Ｂは、開口部が光電変換部の中心に対して左側に偏芯した遮光膜を有する。この結果、第２位相差検出画素１１８Ｂでは、交換レンズ１０の瞳領域の異なる部分を通過した一対の光束のうち他方の光束が受光される。
【００６６】
以上の構成により、第１位相差検出画素１１８Ａ及び第２位相差検出画素１１８Ｂの信号を取得し、両者を比較することにより、位相差量の検出が可能となる。
【００６７】
イメージセンサ移動駆動部１２０は、イメージセンサ１１０を光軸Ｌに沿って前後に移動させる。イメージセンサ移動駆動部１２０は、例えば、ピエゾアクチュエータ等のアクチュエータ、及び、その駆動回路を備えて構成される。
【００６８】
イメージセンサ１１０は、可動範囲内で移動し、その可動範囲の中央に基準位置が設定される。基準位置は、交換レンズ１０で規定されるフランジバックの位置に設定される。一般に交換レンズ１０は、フランジバックの位置を基準に光学設計が行われる。したがって、イメージセンサ１１０を基準位置に位置させることにより、交換レンズ１０の光学性能を最大限に発揮させることができる。
【００６９】
例えば、Ｃマウントを採用する交換レンズのフランジバックは、１７．５２６ｍｍである。また、ＣＳマウントを採用する交換レンズのフランジバックは、１２．５ｍｍである。
【００７０】
イメージセンサ位置検出部１２２は、イメージセンサ１１０の位置（センサ位置）を検出する。イメージセンサ位置検出部１２２は、例えば、渦電流センサ等の変位センサで構成される。
【００７１】
イメージセンサ駆動部１２４は、カメラ制御部１５０による制御の下、イメージセンサ１１０を駆動する。イメージセンサ１１０は、イメージセンサ駆動部１２４に駆動されて、画像を撮像する。
【００７２】
アナログ信号処理部１２６は、イメージセンサ１１０から出力される画素ごとのアナログの画像信号（元画像データ）を取り込み、所定の信号処理（例えば、相関二重サンプリング処理、増幅処理等）を施す。
【００７３】
ＡＤＣ１２８は、アナログ信号処理部１２６から出力されるアナログの画像信号をデジタルの画像信号に変換して出力する。
【００７４】
デジタル信号処理部１３０は、デジタルの画像信号を取り込み、所定の信号処理（例えば、階調変換処理、ホワイトバランス補正処理、ガンマ補正処理、同時化処理、ＹＣ変換処理等）を施して、画像データを生成する。ここで画像データとは、画像そのものであってもよいし、画像を生成する際の情報（各種信号処理で使用したパラメータや画像生成の過程で生成された中間画像）と画像を含むデータであってもよい。
【００７５】
位相差ＡＦ（autofocus）処理部１３２は、ユーザによって指定されたＡＦエリア１１４から第１位相差検出画素１１８Ａ及び第２位相差検出画素１１８Ｂの信号を取得し、取得した信号に対して相関演算処理を行って位相差量を算出する。そして、算出した位相差量に基づいて、デフォーカスの方向及び量を算出する。
【００７６】
メモリカードインタフェース１３４は、カメラ制御部１５０による制御の下、カードスロットに装着されたメモリカード１３６に対して、データの読み書きを行う。
【００７７】
表示部１３８は、画像を含む各種情報を表示する。表示部１３８は、液晶ディスプレイ、有機ＥＬディスプレイ（EL：ElectroLuminescent）等の表示デバイス、及び、その駆動回路を備えて構成される。
【００７８】
表示部１３８には、撮像済みの画像の他、ライブビューが表示される。ライブビューとは、イメージセンサ１１０がとらえた画像をリアルタイムに表示する機能である。ライブビューを表示することより、表示部１３８で画像を確認しながら撮像できる。また、表示部１３８は、各種設定を行う際のユーザインターフェースとしても利用される。
【００７９】
操作部１４０は、レリーズボタン、電源スイッチ、撮像モードダイヤル、シャッタースピードダイヤル、露出補正ダイヤル、コマンドダイヤル、メニューボタン、十字キー、決定ボタン、キャンセルボタン、消去ボタン等のデジタルカメラとしての一般的な操作手段を含み、操作に応じた信号をカメラ制御部１５０に出力する。
【００８０】
レリーズボタンは、いわゆる半押し及び全押しが可能な二段ストローク式のボタンで構成され、半押しでＳ１ＯＮ信号、全押しでＳ２ＯＮ信号が出力される。
【００８１】
カメラ制御部１５０は、デジタルカメラ１の全体の動作を統括制御する制御部である。カメラ制御部１５０は、例えば、マイクロコンピュータで構成され、所定のプログラムを実行することにより、各種機能を提供する。
【００８２】
図５は、カメラ制御部１５０及びレンズ制御部２２が実現するＡＦに係わる機能のブロック図である。
【００８３】
図５に示すように、カメラ制御部１５０は、所定のプログラムを実行することにより、ＡＦ（autofocus）合焦制御部（合焦制御部）１５０ｂ及びイメージセンサ移動制御部１５０ｃとして機能する。また、レンズ制御部２２は、所定のプログラムを実行することにより、焦点調節部２２ａとして機能する。
【００８４】
ＡＦ合焦制御部１５０ｂは、位相差ＡＦ処理部１３２から得られる位相差量に基づいて焦点調節部２２ａ及びイメージセンサ移動制御部１５０ｃに駆動指令を出力する。
【００８５】
焦点調節部２２ａは、ＡＦ合焦制御部１５０ｂからの駆動指令に基づいて、フォーカスレンズ１２を移動させて焦点調節を行う。具体的には、フォーカスレンズ位置検出部１８で検出されるフォーカスレンズ１２の現在位置の情報に基づいて、フォーカスレンズ駆動部１６を制御し、フォーカスレンズ１２を移動させる。
【００８６】
また、焦点調節部２２ａは、フォーカスレンズ位置検出部１８で検出されるフォーカスレンズ１２の現在位置の情報をイメージセンサ移動制御部１５０ｃに出力する。
【００８７】
イメージセンサ移動制御部１５０ｃは、焦点調節部２２ａから出力されるフォーカスレンズ１２の現在位置の情報、及び、イメージセンサ１１０の現在位置の情報に基づいて、イメージセンサ移動駆動部１２０を制御し、イメージセンサ１１０の移動を制御する。具体的には、フォーカスレンズ１２が合焦するようにイメージセンサ１１０を移動させ、合焦後は、フォーカスレンズ１２の移動に追従ないし同調するようにイメージセンサ１１０を移動させて、合焦状態を維持させる。
【００８８】
なお、レンズの焦点位置の移動とイメージセンサ１１０のセンサ位置の移動との移動態様は後で説明する。
【００８９】
次に、デジタル信号処理部１３０の主な機能に関して説明する。
【００９０】
＜第１の実施形態＞
図６は、デジタル信号処理部１３０の主な機能構成例に関して示すブロック図である。デジタル信号処理部１３０は、撮像制御部２００、画像評価部２０２、及び最適位置判定部２０４から構成される。なお、以下の説明では画像データの一例として画像を使用して説明する。被写体の合焦状態の画像を含む画像データとは、画像内において、被写体に合焦した領域を揺する画像のことをいう。また画像は、記録用に本撮像され画像であってもよいし、本撮像用の情報量よりも情報量を減じたライブビュー画像用の画像でもよい。
【００９１】
撮像制御部２００は、複数のセンサ位置の各々で被写体の画像をイメージセンサ１１０からの元画像データに基づいて取得する。
【００９２】
画像評価部２０２は、撮像制御部２００が取得した複数の被写体の画像を解析して複数のセンサ位置の各々における画像評価値を算出する。画像評価部２０２は、画像を画像解析することにより画像の画質の評価の指標である画像評価値を算出して、画像の画質の評価を行う。なお、画像評価部２０２が行う画像評価値の算出に関しては、後で詳細に説明をする。
【００９３】
最適位置判定部２０４は、複数のセンサ位置の各々で取得した画像評価値に基づいて、イメージセンサ１１０の最適位置を判定する。ここで最適位置とは、高画質の画像を撮像することができるイメージセンサ１１０のセンサ位置である。また高画質とは、一般的な意味での高画質であり、例えば収差が抑制された画像であったり、シェーディングが抑制された画像であったりする。最適位置判定部２０４は、画像評価部２０２で算出された画像評価値において最も良い結果が得られたセンサ位置を最適位置として判定する。
【００９４】
＜最適位置への移動工程＞
次に、デジタルカメラ１を使用した撮像方法に関して説明する。図７は、デジタルカメラ１の動作を示すフロー図である。
【００９５】
先ず、ＡＦ動作開始時に最終的に合焦させるＡＦエリア１１４を決定する（ステップＳ１０）。決定されたＡＦエリア１１４に関する情報は、ＡＦ合焦制御部１５０ｂに入力される。ＡＦエリア１１４の決定は、撮影画角内の被写体の位置等に応じて自動的に決定されてもよいし、又はユーザにより手動で設定されてもよい。なお、決定されたＡＦエリア１１４は固定された状態で以下に説明するように、複数のセンサ位置で合焦させて画像評価値を取得する。
【００９６】
次に、デジタルカメラ１の操作部１４０であるシャッターボタンが半押しされ、オートフォーカス機能が作動しＡＦ合焦制御部１５０ｂにより合焦される（ステップＳ１１）。具体的には、イメージセンサ１１０の位置は初期位置に固定された状態で焦点調節部２２ａによりフォーカスレンズ１２が移動されて合焦される。ここでイメージセンサ１１０の初期位置は、イメージセンサ移動駆動部１５０によって移動できるセンサ位置の中央であってもよいし、過去の撮影における最適位置判定部２０４の判定結果に基づいて決定した位置であってもよい。そして合焦後、撮像制御部２００により画像が取得され（撮像制御ステップ）、画像評価部２０２により画像評価値が算出される（ステップＳ１２：画像評価ステップ）。
【００９７】
次に、焦点調節部２２ａによりフォーカスレンズ駆動部１６が駆動され交換レンズ１０の焦点位置が移動され、その交換レンズ１０の焦点位置の移動をＡＦ合焦制御部１５０ｂにより検出する（ステップＳ１３：焦点調節ステップ）。その後、イメージセンサ移動制御部１５０ｃによりイメージセンサ１１０のセンサ位置が移動され（ステップＳ１４：イメージセンサ移動制御ステップ）、ＡＦ合焦制御部１５０ｂにより合焦される（ステップＳ１５：合焦制御ステップ）。合焦後、撮像制御部２００により画像が取得され（撮像制御ステップ）、画像評価部２０２により画像評価値が算出される（ステップＳ１６：画像評価ステップ）。その後画像評価部２０２により、スキャン処理が終了したかが判定され（ステップＳ１７）、スキャン処理が終了していない場合にはスキャン処理が継続される。なお、ここでスキャン処理とはステップＳ１３からステップＳ１７の工程を意味し、各センサ位置において画像評価値の算出が行われることを意味する。スキャン処理が終了すると、最適位置判定部２０４により最適位置が判定され、イメージセンサ１１０はイメージセンサ移動制御部１５０ｃにより最適位置に移動する（ステップＳ１８）。なお、上述の説明では交換レンズ１０の焦点位置を先に移動させて、その後にイメージセンサ１１０を移動させて合焦させる例について説明をしたが、イメージセンサ１１０を先に移動させて、その後に交換レンズ１０の焦点位置を移動させて合焦をさせてもよい。
【００９８】
＜イメージセンサのセンサ位置と交換レンズの焦点位置の移動＞
次に、イメージセンサ１１０のセンサ位置と交換レンズ１０の焦点位置との移動に関して説明する。
【００９９】
≪位相差検出方式によるオートフォーカス≫
図８は、イメージセンサ１１０の移動と交換レンズ１０の焦点位置に関して示した図である。なお、図８に示す場合は位相差検出画素１１８を使用してフォーカスを合わせるオートフォーカス機能が使用される場合である。
【０１００】
図８において、縦軸は光軸方向の前方及び後方が示されており、横軸には時間が示されている。センサ位置は太線Ｌ１で示されており、交換レンズ１０の焦点位置は細線Ｌ２で示されている。
【０１０１】
シャッターボタンが半押しにされることにより、オートフォーカスが時間Ｔ１で開始される。その後、焦点調節部２２ａにより、交換レンズ１０の焦点位置が移動される。そして、時間Ｔ２にてセンサ位置と交換レンズ１０の焦点位置が合焦する（図では太線Ｌ１と細線Ｌ２とが重なることで合焦を示す）（図７のステップＳ１１に相当）。ここで、合焦状態で画像を取得し画像評価値を算出する（図７のステップＳ１２に相当）。その後、時間Ｔ３において、フォーカスレンズ駆動部１６が駆動され交換レンズ１０の焦点位置が移動され（図７のステップＳ１３に相当）、次にイメージセンサ移動制御部１５０ｃによりイメージセンサ１１０のセンサ位置が移動される（図７のステップＳ１４に相当）。時間Ｔ５において、時間Ｔ２とは異なるセンサ位置において合焦し（図７のステップＳ１５に相当）、合焦状態において、画像を取得し画像評価値が算出される（図７のステップＳ１６に相当）。
【０１０２】
その後、時間Ｔ６までスキャンが行われ、時間Ｔ７に交換レンズ１０の焦点位置および最適位置Ｗにイメージセンサ１１０のセンサ位置は最適位置Ｗに移動する（図７のステップＳ１８に相当）。
【０１０３】
≪コントラスト方式によるオートフォーカス≫
図９は、図８と同様の図であり、コントラスト方式にるオートフォーカス機能が使用される場合である。
【０１０４】
オートフォーカスが時間Ｔ１で開始される。その後、焦点調節部２２ａにより、交換レンズ１０の焦点位置が移動される。そして、時間Ｔ２にてセンサ位置と交換レンズ１０の焦点位置が合焦する（図７のステップＳ１１に相当）。ここで、合焦状態で画像を取得し画像評価値を算出する（図７のステップＳ１２に相当）。その後、時間Ｔ３において、フォーカスレンズ駆動部１６が駆動され交換レンズ１０の焦点位置が移動され（図７のステップＳ１３に相当）、次にイメージセンサ移動制御部１５０ｃによりイメージセンサ１１０のセンサ位置が移動される（図７のステップＳ１４に相当）。ここで、イメージセンサ１１０はコントラスト方式により焦点を検出する。時間Ｔ５において、時間Ｔ２とは異なるセンサ位置において合焦し（図７のステップＳ１５に相当）、合焦状態において、画像を取得し画像評価値が算出される（図７のステップＳ１６に相当）。
【０１０５】
≪変形例１：交換レンズの焦点位置とイメージセンサが追従する場合≫
図１０は、交換レンズ１０の焦点位置とイメージセンサ１１０とが追従するように作動する例である。このように交換レンズ１０の焦点位置とイメージセンサ１１０を動作させるためには、交換レンズ１０の焦点位置が移動した場合のセンサ位置の移動量を予めにカメラ側で設定される（フォーカスレンズ１２の移動による焦点位置の変化により、センサの位置を算出することが必要となる）。
【０１０６】
オートフォーカスが時間Ｔ１で開始される。焦点調節部２２ａにより、交換レンズ１０の焦点位置が移動される。その後、時間Ｔ２にてセンサ位置と交換レンズ１０の焦点位置が合焦し、合焦した状態を保ちつつ光軸前方へ移動する。そして合焦しながら移動する際にイメージセンサ１１０は各センサ位置において画像を出力する。なお、センサ位置は連続的な位置であってもよいし、離散的な位置であってもよい。
【０１０７】
予め設定された光軸の前後方向に合焦を維持しつつ、イメージセンサ１１０は移動し画像を出力する。時間Ｔ３において、予め設定された距離の移動が終了する。その後、時間Ｔ４において、イメージセンサ１１０から出力された画像の画像評価値に基づいて最適位置Ｗが判定され、交換レンズ１０の焦点及びイメージセンサ１１０が最適位置Ｗに移動し合焦する。オートフォーカス機能が使用された場合には、例えばこのようにフォーカスレンズ１２及びイメージセンサ１１０が移動して、最適位置が判定される。
【０１０８】
＜画像評価値＞
次に、画像評価部２０２が行う画像評価値の算出に関して説明する。画像評価部２０２は、各センサ位置で取得される画像の画質に関する評価値である画像評価値を算出する。画像評価値は、例えば画像におけるボケ量、又は画像におけるシェーディングの発生程度に対応する値である。例えば画像評価値に用いられるボケ量は、以下に示す各収差に応じて発生するものである。
【０１０９】
≪収差≫
画像評価部２０２は、画像の収差に関する画像評価値を算出する。ここで収差とは、色収差（軸上色収差、倍率色収差）、単色収差（ザイデルの５収差）が含まれる。
【０１１０】
具体例として、画像評価部２０２が球面収差に関する画像評価値を算出する場合について説明する。
【０１１１】
通常、デジタルカメラ１において、設計で想定している距離により球面収差の補正が行われている。したがって、フォーカスレンズ１２の位置、交換レンズ１０の焦点位置、及びイメージセンサ１１０のセンサ位置の相関関係が設計値と異なる場合には、球面収差補正が上手く機能しなく画像にボケが発生する。
【０１１２】
図１１及び図１２は、異なるセンサ位置で取得される画像における球面収差について説明する図である。図１１は、バックフォーカスが設計値からズレていなく、球面収差が理想的に抑制されている場合を示している。図１２は、バックフォーカスが設計値からズレており球面収差の抑制されていない場合を示している。
【０１１３】
図１１では、センサ位置２１２において画像２１４が取得される。センサ位置２１２は設計値であり、イメージセンサ１１０がセンサ位置２１２にある場合には、球面収差が抑制された画像２１４を取得することができる。画像２１４は、コントラストが高く、被写体像の先鋭度も高い画像である。
【０１１４】
一方で図１２では、設計値であるセンサ位置２１２とは異なるセンサ位置２１６において画像２１８が取得されている。イメージセンサ１１０がセンサ位置２１６にある場合には、球面収差が抑制されていないためボケが抑制されていない画像が取得される。画像２１８は、コントラストが低く、被写体像の先鋭度も低い画像となる。
【０１１５】
画像評価部２０２は、球面収差に関する画像評価値を算出する場合には、例えば画像のコントラストを示す指標を画像評価値として算出する。例えば画像評価部２０２は、画像から取得される空間周波数特性に基づいて先鋭度を算出し、その先鋭度を画像評価値とする。
【０１１６】
次の具体例として、画像評価部２０２が色収差に関する画像評価値を算出する場合について説明する。
【０１１７】
画像評価部２０２は、画像から取得される色ずれ量に基づいて画像評価値を算出する。
【０１１８】
ここで色ずれ量とは、光学系に起因する横色収差（倍率色収差）と縦色収差（軸上色収差）による色ずれを表す任意の指標であり、異なる色の間で生じる画像の位置ずれを直接的又は間接的に示すデータ類によって表現可能である。
【０１１９】
倍率色収差に関する画像評価値の算出は一例として次のように行うことができる。画像中のエッジ部を中心として局所的なウィンドウを設定して該ウィンドウ内のＧ配列（Ｇフィルタを有する画素の画素値）を取得し、さらにウィンドウを変位させた位置にてＲ配列（Ｒフィルタを有する画素の画素値）を取得する。次に、Ｇ配列における信号レベルの平均値に対してＲ配列における信号レベルの平均値が一致するようにＲ配列の各信号レベルを調整した後、Ｇ配列とＲ配列との単位要素間の差分の絶対値の和を重ね合わせ誤差として取得する。そして、Ｇ配列に対するＲ配列の変位幅を変化させながら重ね合わせ誤差が最小となる変位幅をＲＧ間の色ずれ幅とし、該色ずれ幅を像高で除することでＲＧ間の倍率差を算出（検出）する。
【０１２０】
軸上色収差に関する画像評価値の算出は一例として次のように行うことができる。フォーカス状態が変化すると軸上色収差量が変化するため、Ｒ画素とＧ画素との倍率色収差による色ずれ量が異なって見える。複数のセンサ位置で取得した画像間の色ずれ量の比較することで軸上色収差量、倍率色収差を含めた色収差の影響を評価することが出来る。
【０１２１】
≪シェーディング≫
また画像評価部２０２は、画像のシェーディング特性に関する画像評価値を算出する。ここで、シェーディング特性とは、光学系に起因するシェーディングを表す任意の指標であり、シェーディングによる減光度分布（輝度ムラ）を直接的又は間接的に示すデータ類によって表現可能である特性のことをいう。
【０１２２】
図１３、図１４、及び図１５は、シェーディング特性がイメージセンサ１１０を移動させることにより変わることを説明する図である。具体的にはイメージセンサ１１０のセンサ位置を変えることにより、イメージセンサ１１０に入射する入射光線角が変わることを説明する図である。
【０１２３】
図１３は、フォーカスレンズ１２とイメージセンサ１１０の位置関係を概略的に示す図であり、図１４は、図１３のセンサ位置２２０での画素への光線Ｍの入射を示す図であり、図１５は、図１３のセンサ位置２２２での画素への光線Ｍの入射を示す図である。
【０１２４】
イメージセンサ１１０がセンサ位置２２０にある場合には、入射光線角がずれている場合であり、光線Ｍが中心画素１１３ｂでは受光されているが、画素端１１３ａ及び画素端１１３ｃでは受光されていない（図１４）。交換レンズ１０の入射光線角と画素ずらし量とは、交換レンズ１０とイメージセンサ１１０との組合せを想定して設計されているが、一方で、想定された設計値からズレる場合には、入射光線角が合わずに画素端において光線がダイオード（画素）に届かなくなる。
【０１２５】
このような場合にイメージセンサ１１０を移動させると、入射光線の角度を変えることができる。図１３に示すようにイメージセンサ１１０をセンサ位置２２０からセンサ位置２２２に移動させる。図１５に示すように、イメージセンサ１１０がセンサ位置２２２に移動すると光線Ｍの入射光線角が変化し、そして、マイクロレンズ１１１を通過した光線Ｍは画素端１１３ａ及び画素端１１３ｃにおいても受光されようになる。
【０１２６】
画像評価部２０２は、シェーディング特性を、例えば画像の端部の画素の値と、画像の中心の画素の値とを比較することにより取得する。具体的には画像評価部２０２は、「画像の４隅の画素端の信号値の平均」を「画像の中心の画素の信号値」で除算することにより得られる光量比を画像評価値として算出する。画像評価値として算出される光量比は１に近づくほど好ましい。なお、画像評価部２０２は、所定の領域の画素の信号値を比較することにより、画像評価値を算出してもよい。
【０１２７】
≪画像評価値の算出方法≫
画像評価部２０２は、様々な算出方法により、各センサ位置で取得された画像の画像評価値を算出する。画像評価部２０２は、画像において単数または複数の箇所の画像評価値を算出する。画像評価値を算出する箇所として、ＡＦエリア１１４、ＡＦエリア１１４および周辺位置である。なお、ＡＦエリア１１４は、ユーザが焦点を合わせることを意図する被写体の位置、すなわち被写体位置である。
【０１２８】
画像評価部２０２は、上述の箇所におけるコントラスト、色ずれ、シェーディング特性により画像評価値を算出する。なお、ユーザ設定等により、画像評価値は重み付けを行ってもよい。また、例えば周辺位置ではシェーディング特性による画像評価値を算出し、ＡＦエリアではコントラストによる画像評価値を算出してもよい。
【０１２９】
図１６は、合焦した画像の画像評価値とイメージセンサ１１０のセンサ位置の関係の一例を示す図である。図１６では、縦軸が画像評価値を示し、横軸がイメージセンサ１１０のセンサ位置を示している。画像のＡＦエリア（被写体位置）Ｒ１は、被写体が合焦している画像の中心付近の領域であり位相差検出画素１１８を含む領域である。画像の周辺位置Ｒ２では、被写体が合焦しているが画像の周辺位置の領域である。ここで、周辺位置とはＡＦエリア１１４の被写体と同じく、ユーザが焦点を合わせたいと思う領域である。すなわち、周辺位置は、デジタルカメラ１からの距離がＡＦエリア１１４の被写体と同じ領域である。例えば、ＡＦエリア１１４に人の顔がある場合に、周辺位置はその近傍領域の人の胴体部分のことである。画像のＡＦエリアＲ１では、ＡＦエリアＲ１で合焦するように、イメージセンサ１１０と交換レンズ１０の焦点位置を調整しているためＡＦエリアＲ１では画像評価値は比較的変化しない。ＡＦエリアＲ１は、被写体位置として、図７のステップＳ１０において決定されたＡＦエリア（ＡＦエリア決定（ステップＳ１０）では、複数あるＡＦエリアのうち、合焦するＡＦエリアが決定される)の画像評価値が算出されている。なお、図１６ではＡＦエリア決定(ステップＳ１０)で決定されたＡＦエリア内の画像により評価値を算出したが、ＡＦエリアの一部分を抽出して画像評価値を算出しても良いし、複数のＡＦエリアを拡張した範囲で画像評価値を算出しても良い。
【０１３０】
また画像評価部２０２は、複数の種類の画像評価値を算出することができる。例えば画像評価部２０２は、収差（球面収差）に関する画像評価値及び色ずれに関する画像評価値を算出する。この場合、最適位置判定部２０４は、画像評価値の合計により最適位置を判定しても良いし、画像評価値の種類に応じて重み付けをして画像評価値を合計しても良い。例えば、最適位置判定部２０４は、色ずれは画像処理で補正し易いため、色ずれに関する画像評価値の重み付けを軽くし、球面収差の画像評価値の重み付けを重くして、画像評価値を総合的に判定する。また、最適位置判定部２０４は、ユーザの操作部１４０を介しての指令により、どの種類の画像評価値を優先させるか決定してもよい。
【０１３１】
以上説明したように本形態では、取得された複数の画像を解析して複数のセンサ位置の各々における画像評価値が算出されるので、画像を直接的に解析して得られた画像評価値に基づいて、画質の良い画像が得られるセンサ位置を得ることができる。
【０１３２】
上記実施形態において、各種の処理を実行する処理部（processing unit）のハードウェア的な構造は、次に示すような各種のプロセッサ（processor）である。各種のプロセッサには、ソフトウェア（プログラム）を実行して各種の処理部として機能する汎用的なプロセッサであるＣＰＵ（Central Processing Unit）、ＦＰＧＡ（Field Programmable Gate Array）などの製造後に回路構成を変更可能なプロセッサであるプログラマブルロジックデバイス（Programmable Logic Device：ＰＬＤ）、ＡＳＩＣ（Application Specific Integrated Circuit）などの特定の処理を実行させるために専用に設計された回路構成を有するプロセッサである専用電気回路などが含まれる。
【０１３３】
１つの処理部は、これら各種のプロセッサのうちの１つで構成されていてもよいし、同種又は異種の２つ以上のプロセッサ（例えば、複数のＦＰＧＡ、あるいはＣＰＵとＦＰＧＡの組み合わせ）で構成されてもよい。また、複数の処理部を１つのプロセッサで構成してもよい。複数の処理部を１つのプロセッサで構成する例としては、第１に、クライアントやサーバなどのコンピュータに代表されるように、１つ以上のＣＰＵとソフトウェアの組合せで１つのプロセッサを構成し、このプロセッサが複数の処理部として機能する形態がある。第２に、システムオンチップ（System On Chip：ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサを１つ以上用いて構成される。
【０１３４】
さらに、これらの各種のプロセッサのハードウェア的な構造は、より具体的には、半導体素子などの回路素子を組み合わせた電気回路（circuitry）である。
【０１３５】
上述の各構成及び機能は、任意のハードウェア、ソフトウェア、或いは両者の組み合わせによって適宜実現可能である。例えば、上述の処理ステップ（処理手順）をコンピュータに実行させるプログラム、そのようなプログラムを記録したコンピュータ読み取り可能な記録媒体（非一時的記録媒体）、或いはそのようなプログラムをインストール可能なコンピュータに対しても本発明を適用することが可能である。
【０１３６】
＜第２の実施形態＞
次に、第２の実施形態に関して説明する。本実施形態では、画像評価値が行われた画像がメモリに保存され、保存された画像を合成して合成画像が生成される。
【０１３７】
図１７は、本実施形態のカメラ制御部１５０とデジタル信号処理部１３０との機能構成例を示す図である。カメラ制御部１５０はモード設定部２０６を有し、デジタル信号処理部１３０は、撮像制御部２００、画像評価部２０２、最適位置判定部２０４、保存決定部２０８、及び合成画像生成部２１０で構成されている。なお、図６で既に説明を行った箇所は、同じ符号を付し説明は省略する。
【０１３８】
モード設定部２０６は、ＡＦ合焦制御部１５０ｂ、撮像制御部２００、及び画像評価部２０２を動作させる画像評価モードを設定する。具体的には、モード設定部２０６は、ユーザからの操作部１４０を介しての指令に基づいて、画像評価モードをデジタルカメラ１において設定する。画像評価モードにおいては、通常撮像とは異なり、上述したようにイメージセンサ１１０が移動しつつ画像を出力し、その画像から画像評価値が算出される。すなわち、画像評価モードが設定されると、ＡＦ合焦制御部１５０ｂ、撮像制御部２００、及び画像評価部２０２が動作準備又は動作が行われる。例えばモード設定部２０６は、マウント１０２に撮像レンズが装着されると、撮像レンズがカメラ本体１００と通信可能な場合には、モード設定部２０６は装着された撮像レンズの種類に応じて自動で画像評価モードを設定する。
【０１３９】
保存決定部２０８は、複数のセンサ位置の各々で取得した画像評価値に基づいて、メモリに保存する画像を決定する。具体的に保存決定部２０８は、所定の閾値を用いて、メモリに保存する画像を決定する。例えば、保存決定部２０８は、画像評価値が閾値以上である高評価の画像をメモリに保存する。ここで画像が保存されるメモリとしては、例えばメモリカードＩ／Ｆに装着されたメモリカード１３６が用いられる。
【０１４０】
合成画像生成部２１０は、メモリに保存された画像を合成する。合成画像生成部２１０が行う画像合成は公知の技術により行われる。例えば合成画像生成部２１０は、画像の中心の領域では球面収差の抑制を優先させ、画像の隅ではシェーディング特性を優先させる場合には、後で説明するブラケット撮影（撮像）により、球面収差に関する最適位置での画像と、シェーディング特性に関する最適位置での画像とをブラケット撮影により取得する。そして、ブラケット撮影により取得した画像を合成することにより、所望の合成画像を得る。
【０１４１】
次に、本実施形態のデジタルカメラ１を使用した撮像方法に関して説明する。図１８は、デジタルカメラ１の動作を示すフロー図であり、各種の最適位置でブラケット撮影が行われる場合を示す。
【０１４２】
先ず、モード設定部２０６は、ユーザからの指令により、画像評価モードが設定されているかを判定する（ステップＳ２０）。画像評価モードが設定されていない場合には、通常撮像が行われる（ステップＳ２８）。なお、ブラケット撮影を行う場合には、画像評価値の種類をユーザは入力する。例えば、収差及びシェーディングに関しての最適位置でブラケット撮影を行うように、ユーザは入力する。
【０１４３】
モード設定部２０６が画像評価モードの設定がされていると判定した場合には、デジタルカメラ１は画像評価値の算出動作に遷移する。
【０１４４】
オートフォーカス機能が作動し、ＡＦ合焦制御部１５０ｂにより、焦点調節部２２ａが動作し合焦される（ステップＳ２１）。その後、スキャン処理が行われる（ステップＳ２２）（スキャン処理に関しては図７のステップＳ１３からステップＳ１７を参照）。スキャン処理後に各センサ位置で得られた画像評価値に基づいて、最適位置判定部２０４が最適位置を判定し、イメージセンサ移動制御部１５０ｃはイメージセンサ１１０を最適位置に移動させる（ステップＳ２３）。イメージセンサ１１０が最適位置に移動したのちに撮像が行われ（ステップＳ２４）、保存決定部２０８は得られた画像をメモリに保存する（ステップＳ２５）。その後、設定された全ての種類の画像評価値の最適位置において画像を取得したか最適位置判定部２０４で判定される（ステップＳ２６）。設定された全ての種類の画像評価値の最適位置において画像が取得された場合には、合成画像生成部２１０により、画像合成が行われる（ステップＳ２７）。例えば合成画像では、画像の中心が収差に関する最適位置で撮像された画像が使用され、画像の周辺はシェーディングに関する最適位置で撮像された画像が使用される。
【０１４５】
＜その他＞
≪マニュアルフォーカス≫
上述の説明では、オートフォーカス機能を使用して焦点を調節する場合について説明をしてきたが、マニュアルフォーカス機能（マニュアルフォーカス操作）を使用して焦点調節指示をＡＦ合焦制御部１５０ｂに変わって出力する場合においても本発明を適用することができる。
【０１４６】
図１９は、マニュアルフォーカスにより交換レンズ１０の焦点が移動し、イメージセンサ１１０が交換レンズ１０の焦点に追従して移動しながら、最適位置判定部２０４は逐次最適位置の判定を行う。なお、図８で既に説明を行っている箇所は同じ符号を付し説明は省略する。
【０１４７】
時間Ｔ１においてスキャン処理が開始される。スキャン処理と同時に、画像評価部２０２は各画像の画像評価値を算出し、最適位置判定部２０４は画像評価値に基づいて逐次最適位置を判定する。時間Ｔ１と時間Ｔ２との間では、イメージセンサ１１０が位相差検出画素１１８を使用して合焦を補助し合焦を維持するよう追従している。位相差検出画素１１８のデータを用いて、ユーザによるフォーカスレンズ１２の移動に合わせて、センサを移動し合焦させるため、追従にはタイムラグがあるが、図１９では省略されている。時間Ｔ２において、最適位置判定部２０４は、以後の移動方向には最適位置が検出されないと無いと判定し、それまで得られていた画像評価値に基づく最適位置に移動する。時間Ｔ２と時間Ｔ３との間のＬ２では、ユーザのマニュアルフォーカス操作にフォーカスレンズ１２の移動がＬ２で示されている。また、時間Ｔ２と時間Ｔ３との間のＬ１では、画像評価値が悪化方向のため追従を止める、または定められたセンサ移動範囲内で追従を止める形態が示されている。
【０１４８】
時間Ｔ３においてスキャン処理が再度開始され、時間Ｔ４までスキャン処理が行われる。時間Ｔ３から時間Ｔ４までの間では上述したようにフォーカスレンズ１２にイメージセンサ１１０が追従し、時間Ｔ１から時間Ｔ２のスキャン処理と同様に、最適位置判定部２０４は最適位置を逐次判定する。時間Ｔ４では、画像評価値が悪化方向のため、イメージセンサ１１０はフォーカスレンズ１２への追従をやめて、最適位置に移動する。
【０１４９】
≪レンズの他の例≫
デジタルカメラ１に使用される撮像レンズとして交換レンズ１０を用いて説明をしたが、これに限定されるものではなく、交換式でないレンズを有するデジタルカメラ１においても本発明は適用される。
【０１５０】
また、フォーカスレンズ１２の移動方式として様々なものが用いられる。図２０は、デジタルカメラ１に好適に使用される撮像レンズの例を示す図である。
【０１５１】
撮像レンズ２５０では、前方に設けられた第１のレンズ群２７０が移動し、後方に設けられた第２のレンズ群２７２が固定されている。第１のレンズ群２７０が移動することにより、撮像レンズ２５０の焦点位置が移動させられる。
【０１５２】
撮像レンズ２５２では、前方に設けられた第１のレンズ群２７０が固定され、後方に設けられた第２のレンズ群２７２が移動する。第２のレンズ群２７２が移動することにより、撮像レンズ２５０の焦点位置が移動させられる。
【０１５３】
撮像レンズ２５４では、前方に設けられた第１のレンズ群２７０が固定され、中間に設けられた第２のレンズ群２７２が移動し、後方に設けられた第３のレンズ群２７４が固定されている。第２のレンズ群２７２が移動することによって、撮像レンズ２５４の焦点位置が移動させられる。
【０１５４】
撮像レンズ２５６では、前方に設けられた第１のレンズ群２７０が移動し、後方に設けられた第２のレンズ群２７２が移動する。第１のレンズ群２７０及び第２のレンズ群２７２は移動速度が異なり、第１のレンズ群２７０及び第２のレンズ群２７２が動くことにより、撮像レンズ２５６の焦点位置が変えられる。
【０１５５】
以上で本発明の例に関して説明してきたが、本発明は上述した実施の形態に限定されず、本発明の精神を逸脱しない範囲で種々の変形が可能であることは言うまでもない。
【符号の説明】
【０１５６】
１        ：デジタルカメラ
４        ：画像
１０      ：交換レンズ
１２      ：フォーカスレンズ
１４      ：絞り
１６      ：フォーカスレンズ駆動部
１８      ：フォーカスレンズ位置検出部
２０      ：絞り駆動部
２２      ：レンズ制御部
２２ａ    ：焦点調節部
１００    ：カメラ本体
１０２    ：マウント
１１０    ：イメージセンサ
１１２    ：撮像面
１１３ａ  ：画素端
１１３ｃ  ：画素端
１１４    ：ＡＦエリア
１１６    ：通常画素
１１８    ：位相差検出画素
１１８Ａ  ：第１位相差検出画素
１１８Ｂ  ：第２位相差検出画素
１２０    ：イメージセンサ移動駆動部
１２２    ：イメージセンサ位置検出部
１２４    ：イメージセンサ駆動部
１２６    ：アナログ信号処理部
１２８    ：ＡＤＣ
１３０    ：デジタル信号処理部
１３２    ：位相差ＡＦ処理部
１３４    ：メモリカードインタフェース
１３６    ：メモリカード
１３８    ：表示部
１４０    ：操作部
１５０    ：カメラ制御部
１５０ｂ  ：ＡＦ合焦制御部
１５０ｃ  ：イメージセンサ移動制御部
２００    ：撮像制御部
２０２    ：画像評価部
２０４    ：最適位置判定部
２０６    ：モード設定部
２０８    ：保存決定部
２１０    ：合成画像生成部
【図１】
2019188934.tif 000003
【図２】
2019188934.tif 000004
【図３】
2019188934.tif 000005
【図４】
2019188934.tif 000006
【図５】
2019188934.tif 000007
【図６】
2019188934.tif 000008
【図７】
2019188934.tif 000009
【図８】
2019188934.tif 000010
【図９】
2019188934.tif 000011
【図１０】
2019188934.tif 000012
【図１１】
2019188934.tif 000013
【図１２】
2019188934.tif 000014
【図１３】
2019188934.tif 000015
【図１４】
2019188934.tif 000016
【図１５】
2019188934.tif 000017
【図１６】
2019188934.tif 000018
【図１７】
2019188934.tif 000019
【図１８】
2019188934.tif 000020
【図１９】
2019188934.tif 000021
【図２０】
2019188934.tif 000022
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
撮像レンズのフォーカスレンズを移動させて焦点調節を行う焦点調節部と、
前記撮像レンズを通過した光学像を撮像し、元画像データを出力するイメージセンサと、
前記イメージセンサを前記撮像レンズの光軸方向の複数のセンサ位置に移動させるイメージセンサ移動制御部と、
前記焦点調節部と前記イメージセンサ移動制御部を駆動し、前記複数のセンサ位置の各々で被写体を合焦させる合焦制御部と、
前記イメージセンサから出力される前記元画像データに基づいて、前記合焦制御部によって前記複数のセンサ位置の各々で合焦された前記被写体の画像データを取得する撮像制御部と、
前記撮像制御部が取得した複数の前記被写体の画像データを解析して前記複数のセンサ位置の各々における画像評価値を算出する画像評価部と、
を備える撮像装置。
【請求項２】
前記複数のセンサ位置の各々で取得した前記画像評価値に基づいて、前記イメージセンサの最適位置を判定する最適位置判定部を備え、
前記イメージセンサ移動制御部は、前記最適位置に前記イメージセンサを移動させる請求項１に記載の撮像装置。
【請求項３】
前記画像データを保存するメモリと、
前記複数のセンサ位置の各々で取得した前記画像評価値に基づいて、前記メモリに保存する前記画像データを決定する保存決定部と、
を備える請求項１又は２に記載の撮像装置。
【請求項４】
前記焦点調節部は、インナーフォーカス方式又はリアフォーカス方式により、焦点調節を行わせる請求項１から３のいずれか１項に記載の撮像装置。
【請求項５】
前記合焦制御部、前記撮像制御部、及び前記画像評価部を動作させる画像評価モードを設定するモード設定部を備える請求項１から４のいずれか１項に記載の撮像装置。
【請求項６】
前記撮像レンズが装着されるマウントを備え、
前記モード設定部は、前記マウントに装着された前記撮像レンズの種類に応じて自動で前記画像評価モードを設定する請求項５に記載の撮像装置。
【請求項７】
前記画像評価部は、前記画像データにおいて前記被写体の位置である被写体位置と周辺位置との少なくとも２箇所において、解析を行い前記画像評価値を算出する請求項１から６のいずれか１項に記載の撮像装置。
【請求項８】
前記周辺位置は、前記被写体の距離情報に基づいて決定される請求項７に記載の撮像装置。
【請求項９】
前記画像評価部は、前記画像データのコントラストに基づいて前記画像評価値を算出する請求項１から８のいずれか１項に記載の撮像装置。
【請求項１０】
前記画像評価部は、前記画像データから取得される空間周波数特性に基づいて前記画像評価値を算出する請求項１から９のいずれか１項に記載の撮像装置。
【請求項１１】
前記画像評価部は、前記画像データから取得される色ずれ量に基づいて前記画像評価値を算出する請求項１から１０のいずれか１項に記載の撮像装置。
【請求項１２】
前記画像評価部は、前記画像データから取得されるシェーディング特性に基づいて前記画像評価値を算出する請求項１から１１のいずれか１項に記載の撮像装置。
【請求項１３】
撮像レンズのフォーカスレンズを移動させて焦点調節を行う焦点調節部と、
前記撮像レンズを通過した光学像を撮像し、元画像データを出力するイメージセンサと、
前記イメージセンサを前記撮像レンズの光軸方向の複数のセンサ位置に移動させるイメージセンサ移動制御部と、
前記焦点調節部がマニュアルフォーカス操作による焦点調節指示を受け付けた場合に、前記イメージセンサ移動制御部を駆動し、前記複数のセンサ位置の各々で被写体を合焦させる合焦制御部と、
前記イメージセンサから出力される前記元画像データに基づいて、前記合焦制御部によって前記複数のセンサ位置の各々で合焦された前記被写体の画像データを取得する撮像制御部と、
前記撮像制御部が取得した複数の前記被写体の画像データを解析して前記複数のセンサ位置の各々における画像評価値を算出する画像評価部と、
前記複数のセンサ位置の各々で取得した前記画像評価値に基づいて、前記イメージセンサの最適位置を判定する最適位置判定部と、
を備え、
前記イメージセンサ移動制御部は、前記最適位置に前記イメージセンサを移動させる撮像装置。
【請求項１４】
撮像レンズのフォーカスレンズを移動させて焦点調節を行う焦点調節部と、
前記撮像レンズを通過した光学像を撮像し、元画像データを出力するイメージセンサと、
前記イメージセンサを前記撮像レンズの光軸方向の複数のセンサ位置に移動させるイメージセンサ移動制御部と、
前記焦点調節部がマニュアルフォーカス操作による焦点調節指示を受け付けた場合に、前記イメージセンサ移動制御部を駆動し、前記複数のセンサ位置の各々で被写体を合焦させる合焦制御部と、
前記イメージセンサから出力される前記元画像データに基づいて、前記合焦制御部によって前記複数のセンサ位置の各々で合焦された前記被写体の画像データを取得する撮像制御部と、
前記撮像制御部が取得した複数の前記被写体の画像データを解析して前記複数のセンサ位置の各々における画像評価値を算出する画像評価部と、
前記画像データを保存するメモリと、
前記複数のセンサ位置の各々で取得した前記画像評価値に基づいて、前記メモリに保存する前記画像データを決定する保存決定部と、
を備える撮像装置。
【請求項１５】
前記複数のセンサ位置の各々で取得した前記画像評価値に基づいて、前記イメージセンサの最適位置を判定する最適位置判定部を備え、
前記イメージセンサ移動制御部は、前記最適位置に前記イメージセンサを移動させる請求項１４に記載の撮像装置。
【請求項１６】
前記画像データを保存するメモリと、
前記複数のセンサ位置の各々で取得した前記画像評価値に基づいて、前記メモリに保存する前記画像データを決定する保存決定部と、
を備える請求項１３に記載の撮像装置。
【請求項１７】
前記焦点調節部は、インナーフォーカス方式又はリアフォーカス方式により、焦点調節を行わせる請求項１３から１６のいずれか１項に記載の撮像装置。
【請求項１８】
撮像レンズのフォーカスレンズを移動させて焦点調節を行う焦点調節ステップと、
前記撮像レンズを通過した光学像を撮像し、元画像データを出力するイメージセンサを、前記撮像レンズの光軸方向の複数のセンサ位置に移動させるイメージセンサ移動制御ステップと、
前記焦点調節ステップと前記イメージセンサ移動制御ステップにより、前記複数のセンサ位置の各々で被写体を合焦させる合焦制御ステップと、
前記イメージセンサから出力される前記元画像データに基づいて、
前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
を含む撮像方法。
【請求項１９】
撮像レンズのフォーカスレンズを移動させて焦点調節を行う焦点調節ステップと、
前記撮像レンズを通過した光学像を撮像し、元画像データを出力するイメージセンサを前記撮像レンズの光軸方向の複数のセンサ位置に移動させるイメージセンサ移動制御ステップと、
前記焦点調節ステップがマニュアルフォーカス操作による焦点調節指示を受け付けた場合に、前記イメージセンサ移動制御ステップを駆動し、前記複数のセンサ位置の各々で被写体を合焦させる合焦制御ステップと、
前記イメージセンサから出力される前記元画像データに基づいて、前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
前記複数のセンサ位置の各々で取得した前記画像評価値に基づいて、前記イメージセンサの最適位置を判定する最適位置判定ステップと、
を含み、
前記イメージセンサ移動制御ステップは、前記最適位置に前記イメージセンサを移動させる撮像方法。
【請求項２０】
撮像レンズのフォーカスレンズを移動させて焦点調節を行う焦点調節ステップと、
前記撮像レンズを通過した光学像を撮像し、元画像データを出力するイメージセンサを前記撮像レンズの光軸方向の複数のセンサ位置に移動させるイメージセンサ移動制御ステップと、
前記焦点調節ステップと前記イメージセンサ移動制御ステップにより、前記複数のセンサ位置の各々で被写体を合焦させる合焦制御ステップと、
前記イメージセンサから出力される前記元画像データに基づいて、
前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
を含む撮像工程をコンピュータに実行させるプログラム。
【請求項２１】
撮像レンズのフォーカスレンズを移動させて焦点調節を行う焦点調節ステップと、
前記撮像レンズを通過した光学像を撮像し、元画像データを出力するイメージセンサを前記撮像レンズの光軸方向の複数のセンサ位置に移動させるイメージセンサ移動制御ステップと、
前記焦点調節ステップがマニュアルフォーカス操作による焦点調節指示を受け付けた場合に、前記イメージセンサ移動制御ステップを駆動し、前記複数のセンサ位置の各々で被写体を合焦させる合焦制御ステップと、
前記イメージセンサから出力される前記元画像データに基づいて、前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
前記複数のセンサ位置の各々で取得した前記画像評価値に基づいて、前記イメージセンサの最適位置を判定する最適位置判定ステップと、
を含み、
前記イメージセンサ移動制御ステップは、前記最適位置に前記イメージセンサを移動させる撮像工程をコンピュータに実行させるプログラム。
【請求項２２】
非一時的かつコンピュータ読取可能な記録媒体であって、前記記録媒体に格納された指令がコンピュータによって読み取られた場合に、
撮像レンズのフォーカスレンズを移動させて焦点調節を行う焦点調節ステップと、
前記撮像レンズを通過した光学像を撮像し、元画像データを出力するイメージセンサを、前記撮像レンズの光軸方向の複数のセンサ位置に移動させるイメージセンサ移動制御ステップと、
前記焦点調節ステップと前記イメージセンサ移動制御ステップにより、前記複数のセンサ位置の各々で被写体を合焦させる合焦制御ステップと、
前記イメージセンサから出力される前記元画像データに基づいて、
前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
を含む撮像工程をコンピュータに実現させる記録媒体。
【請求項２３】
非一時的かつコンピュータ読取可能な記録媒体であって、前記記録媒体に格納された指令がコンピュータによって読み取られた場合に、
撮像レンズのフォーカスレンズを移動させて焦点調節を行う焦点調節ステップと、
前記撮像レンズを通過した光学像を撮像し、元画像データを出力するイメージセンサを前記撮像レンズの光軸方向の複数のセンサ位置に移動させるイメージセンサ移動制御ステップと、
前記焦点調節ステップがマニュアルフォーカス操作による焦点調節指示を受け付けた場合に、前記イメージセンサ移動制御ステップを駆動し、前記複数のセンサ位置の各々で被写体を合焦させる合焦制御ステップと、
前記イメージセンサから出力される前記元画像データに基づいて、
前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
前記複数のセンサ位置の各々で取得した前記画像評価値に基づいて、前記イメージセンサの最適位置を判定する最適位置判定ステップと、
を含み、
前記イメージセンサ移動制御ステップは、前記最適位置に前記イメージセンサを移動させる撮像工程をコンピュータに実現させる記録媒体。
【請求項２４】
撮像レンズのフォーカスレンズを移動させて焦点調節を行う焦点調節ステップと、
前記撮像レンズを通過した光学像を撮像し、元画像データを出力するイメージセンサを前記撮像レンズの光軸方向の複数のセンサ位置に移動させるイメージセンサ移動制御ステップと、
前記焦点調節ステップがマニュアルフォーカス操作による焦点調節指示を受け付けた場合に、前記イメージセンサ移動制御ステップを駆動し、前記複数のセンサ位置の各々で被写体を合焦させる合焦制御ステップと、
前記イメージセンサから出力される前記元画像データに基づいて、前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
前記複数のセンサ位置の各々で取得した前記画像評価値に基づいて、前記画像データを保存するメモリに保存する前記画像データを決定する保存決定ステップと、
を含む撮像方法。
【請求項２５】
撮像レンズのフォーカスレンズを移動させて焦点調節を行う焦点調節ステップと、
前記撮像レンズを通過した光学像を撮像し、元画像データを出力するイメージセンサを前記撮像レンズの光軸方向の複数のセンサ位置に移動させるイメージセンサ移動制御ステップと、
前記焦点調節ステップがマニュアルフォーカス操作による焦点調節指示を受け付けた場合に、前記イメージセンサ移動制御ステップを駆動し、前記複数のセンサ位置の各々で被写体を合焦させる合焦制御ステップと、
前記イメージセンサから出力される前記元画像データに基づいて、前記合焦制御ステップによって前記複数のセンサ位置の各々で合焦された前記被写体の画像データを取得する撮像制御ステップと、
前記撮像制御ステップが取得した複数の前記被写体の画像データを解析して前記複数の３８／３位置の各々における画像評価値を算出する画像評価ステップと、
前記複数のセンサ位置の各々で取得した前記画像評価値に基づいて、前記画像データを保存するメモリに保存する前記画像データを決定する保存決定ステップと、
を含む撮像工程をコンピュータに実行させるプログラム。
【請求項２６】
非一時的かつコンピュータ読取可能な記録媒体であって、前記記録媒体に格納された指令がコンピュータによって読み取られた場合に、
撮像レンズのフォーカスレンズを移動させて焦点調節を行う焦点調節ステップと、
前記撮像レンズを通過した光学像を撮像し、元画像データを出力するイメージセンサを前記撮像レンズの光軸方向の複数のセンサ位置に移動させるイメージセンサ移動制御ステップと、
前記焦点調節ステップがマニュアルフォーカス操作による焦点調節指示を受け付けた場合に、前記イメージセンサ移動制御ステップを駆動し、前記複数のセンサ位置の各々で被写体を合焦させる合焦制御ステップと、
前記イメージセンサから出力される前記元画像データに基づいて、前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
前記複数のセンサ位置の各々で取得した前記画像評価値に基づいて、前記画像データを保存するメモリに保存する前記画像データを決定する保存決定ステップと、
を含む撮像工程をコンピュータに実現させる記録媒体。
【手続補正書】
【提出日】令和2年11月10日(2020.11.10)
【手続補正１】
【補正対象書類名】特許請求の範囲
【補正対象項目名】全文
【補正方法】変更
【補正の内容】
【特許請求の範囲】
【請求項１】
撮像レンズのフォーカスレンズを移動させて焦点調節を行う焦点調節部と、
前記撮像レンズを通過した光学像を撮像し、元画像データを出力するイメージセンサと、
前記イメージセンサを前記撮像レンズの光軸方向の複数のセンサ位置に移動させるイメージセンサ移動制御部と、
前記焦点調節部と前記イメージセンサ移動制御部を駆動し、前記複数のセンサ位置の各々で被写体を合焦させる合焦制御部と、
前記イメージセンサから出力される前記元画像データに基づいて、前記合焦制御部によって前記複数のセンサ位置の各々で合焦された前記被写体の画像データを取得する撮像制御部と、
前記撮像制御部が取得した複数の前記被写体の画像データを解析して前記複数のセンサ位置の各々における画像評価値を算出する画像評価部と、
を備える撮像装置。
【請求項２】
前記複数のセンサ位置の各々で取得した前記画像評価値に基づいて、前記イメージセンサの最適位置を判定する最適位置判定部を備え、
前記イメージセンサ移動制御部は、前記最適位置に前記イメージセンサを移動させる請求項１に記載の撮像装置。
【請求項３】
前記画像データを保存するメモリと、
前記複数のセンサ位置の各々で取得した前記画像評価値に基づいて、前記メモリに保存する前記画像データを決定する保存決定部と、
を備える請求項１又は２に記載の撮像装置。
【請求項４】
前記焦点調節部は、インナーフォーカス方式又はリアフォーカス方式により、焦点調節を行わせる請求項１から３のいずれか１項に記載の撮像装置。
【請求項５】
前記合焦制御部、前記撮像制御部、及び前記画像評価部を動作させる画像評価モードを設定するモード設定部を備える請求項１から４のいずれか１項に記載の撮像装置。
【請求項６】
前記撮像レンズが装着されるマウントを備え、
前記モード設定部は、前記マウントに装着された前記撮像レンズの種類に応じて自動で前記画像評価モードを設定する請求項５に記載の撮像装置。
【請求項７】
前記画像評価部は、前記画像データにおいて前記被写体の位置である被写体位置と周辺位置との少なくとも２箇所において、解析を行い前記画像評価値を算出する請求項１から６のいずれか１項に記載の撮像装置。
【請求項８】
前記周辺位置は、前記被写体の距離情報に基づいて決定される請求項７に記載の撮像装置。
【請求項９】
前記画像評価部は、前記画像データのコントラストに基づいて前記画像評価値を算出する請求項１から８のいずれか１項に記載の撮像装置。
【請求項１０】
前記画像評価部は、前記画像データから取得される空間周波数特性に基づいて前記画像評価値を算出する請求項１から９のいずれか１項に記載の撮像装置。
【請求項１１】
前記画像評価部は、前記画像データから取得される色ずれ量に基づいて前記画像評価値を算出する請求項１から１０のいずれか１項に記載の撮像装置。
【請求項１２】
前記画像評価部は、前記画像データから取得されるシェーディング特性に基づいて前記画像評価値を算出する請求項１から１１のいずれか１項に記載の撮像装置。
【請求項１３】
撮像レンズのフォーカスレンズを移動させて焦点調節を行う焦点調節部と、
前記撮像レンズを通過した光学像を撮像し、元画像データを出力するイメージセンサと、
前記イメージセンサを前記撮像レンズの光軸方向の複数のセンサ位置に移動させるイメージセンサ移動制御部と、
前記焦点調節部がマニュアルフォーカス操作による焦点調節指示を受け付けた場合に、前記イメージセンサ移動制御部を駆動し、前記複数のセンサ位置の各々で被写体を合焦させる合焦制御部と、
前記イメージセンサから出力される前記元画像データに基づいて、前記合焦制御部によって前記複数のセンサ位置の各々で合焦された前記被写体の画像データを取得する撮像制御部と、
前記撮像制御部が取得した複数の前記被写体の画像データを解析して前記複数のセンサ位置の各々における画像評価値を算出する画像評価部と、
前記複数のセンサ位置の各々で取得した前記画像評価値に基づいて、前記イメージセンサの最適位置を判定する最適位置判定部と、
を備え、
前記イメージセンサ移動制御部は、前記最適位置に前記イメージセンサを移動させる撮像装置。
【請求項１４】
撮像レンズのフォーカスレンズを移動させて焦点調節を行う焦点調節部と、
前記撮像レンズを通過した光学像を撮像し、元画像データを出力するイメージセンサと、
前記イメージセンサを前記撮像レンズの光軸方向の複数のセンサ位置に移動させるイメージセンサ移動制御部と、
前記焦点調節部がマニュアルフォーカス操作による焦点調節指示を受け付けた場合に、前記イメージセンサ移動制御部を駆動し、前記複数のセンサ位置の各々で被写体を合焦させる合焦制御部と、
前記イメージセンサから出力される前記元画像データに基づいて、前記合焦制御部によって前記複数のセンサ位置の各々で合焦された前記被写体の画像データを取得する撮像制御部と、
前記撮像制御部が取得した複数の前記被写体の画像データを解析して前記複数のセンサ位置の各々における画像評価値を算出する画像評価部と、
前記画像データを保存するメモリと、
前記複数のセンサ位置の各々で取得した前記画像評価値に基づいて、前記メモリに保存する前記画像データを決定する保存決定部と、
を備える撮像装置。
【請求項１５】
前記複数のセンサ位置の各々で取得した前記画像評価値に基づいて、前記イメージセンサの最適位置を判定する最適位置判定部を備え、
前記イメージセンサ移動制御部は、前記最適位置に前記イメージセンサを移動させる請求項１４に記載の撮像装置。
【請求項１６】
前記画像データを保存するメモリと、
前記複数のセンサ位置の各々で取得した前記画像評価値に基づいて、前記メモリに保存する前記画像データを決定する保存決定部と、
を備える請求項１３に記載の撮像装置。
【請求項１７】
前記焦点調節部は、インナーフォーカス方式又はリアフォーカス方式により、焦点調節を行わせる請求項１３から１６のいずれか１項に記載の撮像装置。
【請求項１８】
撮像レンズのフォーカスレンズを移動させて焦点調節を行う焦点調節ステップと、
前記撮像レンズを通過した光学像を撮像し、元画像データを出力するイメージセンサを、前記撮像レンズの光軸方向の複数のセンサ位置に移動させるイメージセンサ移動制御ステップと、
前記焦点調節ステップと前記イメージセンサ移動制御ステップにより、前記複数のセンサ位置の各々で被写体を合焦させる合焦制御ステップと、
前記イメージセンサから出力される前記元画像データに基づいて、
前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
を含む撮像方法。
【請求項１９】
撮像レンズのフォーカスレンズを移動させて焦点調節を行う焦点調節ステップと、
前記撮像レンズを通過した光学像を撮像し、元画像データを出力するイメージセンサを前記撮像レンズの光軸方向の複数のセンサ位置に移動させるイメージセンサ移動制御ステップと、
前記焦点調節ステップがマニュアルフォーカス操作による焦点調節指示を受け付けた場合に、前記イメージセンサ移動制御ステップを駆動し、前記複数のセンサ位置の各々で被写体を合焦させる合焦制御ステップと、
前記イメージセンサから出力される前記元画像データに基づいて、前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
前記複数のセンサ位置の各々で取得した前記画像評価値に基づいて、前記イメージセンサの最適位置を判定する最適位置判定ステップと、
を含み、
前記イメージセンサ移動制御ステップは、前記最適位置に前記イメージセンサを移動させる撮像方法。
【請求項２０】
撮像レンズのフォーカスレンズを移動させて焦点調節を行う焦点調節ステップと、
前記撮像レンズを通過した光学像を撮像し、元画像データを出力するイメージセンサを前記撮像レンズの光軸方向の複数のセンサ位置に移動させるイメージセンサ移動制御ステップと、
前記焦点調節ステップと前記イメージセンサ移動制御ステップにより、前記複数のセンサ位置の各々で被写体を合焦させる合焦制御ステップと、
前記イメージセンサから出力される前記元画像データに基づいて、
前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
を含む撮像工程をコンピュータに実行させるプログラム。
【請求項２１】
撮像レンズのフォーカスレンズを移動させて焦点調節を行う焦点調節ステップと、
前記撮像レンズを通過した光学像を撮像し、元画像データを出力するイメージセンサを前記撮像レンズの光軸方向の複数のセンサ位置に移動させるイメージセンサ移動制御ステップと、
前記焦点調節ステップがマニュアルフォーカス操作による焦点調節指示を受け付けた場合に、前記イメージセンサ移動制御ステップを駆動し、前記複数のセンサ位置の各々で被写体を合焦させる合焦制御ステップと、
前記イメージセンサから出力される前記元画像データに基づいて、前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
前記複数のセンサ位置の各々で取得した前記画像評価値に基づいて、前記イメージセンサの最適位置を判定する最適位置判定ステップと、
を含み、
前記イメージセンサ移動制御ステップは、前記最適位置に前記イメージセンサを移動させる撮像工程をコンピュータに実行させるプログラム。
【請求項２２】
非一時的かつコンピュータ読取可能な記録媒体であって、前記記録媒体に格納された指令がコンピュータによって読み取られた場合に、
撮像レンズのフォーカスレンズを移動させて焦点調節を行う焦点調節ステップと、
前記撮像レンズを通過した光学像を撮像し、元画像データを出力するイメージセンサを、前記撮像レンズの光軸方向の複数のセンサ位置に移動させるイメージセンサ移動制御ステップと、
前記焦点調節ステップと前記イメージセンサ移動制御ステップにより、前記複数のセンサ位置の各々で被写体を合焦させる合焦制御ステップと、
前記イメージセンサから出力される前記元画像データに基づいて、
前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
を含む撮像工程をコンピュータに実現させる記録媒体。
【請求項２３】
非一時的かつコンピュータ読取可能な記録媒体であって、前記記録媒体に格納された指令がコンピュータによって読み取られた場合に、
撮像レンズのフォーカスレンズを移動させて焦点調節を行う焦点調節ステップと、
前記撮像レンズを通過した光学像を撮像し、元画像データを出力するイメージセンサを前記撮像レンズの光軸方向の複数のセンサ位置に移動させるイメージセンサ移動制御ステップと、
前記焦点調節ステップがマニュアルフォーカス操作による焦点調節指示を受け付けた場合に、前記イメージセンサ移動制御ステップを駆動し、前記複数のセンサ位置の各々で被写体を合焦させる合焦制御ステップと、
前記イメージセンサから出力される前記元画像データに基づいて、
前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
前記複数のセンサ位置の各々で取得した前記画像評価値に基づいて、前記イメージセンサの最適位置を判定する最適位置判定ステップと、
を含み、
前記イメージセンサ移動制御ステップは、前記最適位置に前記イメージセンサを移動させる撮像工程をコンピュータに実現させる記録媒体。
【請求項２４】
撮像レンズのフォーカスレンズを移動させて焦点調節を行う焦点調節ステップと、
前記撮像レンズを通過した光学像を撮像し、元画像データを出力するイメージセンサを前記撮像レンズの光軸方向の複数のセンサ位置に移動させるイメージセンサ移動制御ステップと、
前記焦点調節ステップがマニュアルフォーカス操作による焦点調節指示を受け付けた場合に、前記イメージセンサ移動制御ステップを駆動し、前記複数のセンサ位置の各々で被写体を合焦させる合焦制御ステップと、
前記イメージセンサから出力される前記元画像データに基づいて、前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
前記複数のセンサ位置の各々で取得した前記画像評価値に基づいて、前記画像データを保存するメモリに保存する前記画像データを決定する保存決定ステップと、
を含む撮像方法。
【請求項２５】
撮像レンズのフォーカスレンズを移動させて焦点調節を行う焦点調節ステップと、
前記撮像レンズを通過した光学像を撮像し、元画像データを出力するイメージセンサを前記撮像レンズの光軸方向の複数のセンサ位置に移動させるイメージセンサ移動制御ステップと、
前記焦点調節ステップがマニュアルフォーカス操作による焦点調節指示を受け付けた場合に、前記イメージセンサ移動制御ステップを駆動し、前記複数のセンサ位置の各々で被写体を合焦させる合焦制御ステップと、
前記イメージセンサから出力される前記元画像データに基づいて、前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
前記複数のセンサ位置の各々で取得した前記画像評価値に基づいて、前記画像データを保存するメモリに保存する前記画像データを決定する保存決定ステップと、
を含む撮像工程をコンピュータに実行させるプログラム。
【請求項２６】
非一時的かつコンピュータ読取可能な記録媒体であって、前記記録媒体に格納された指令がコンピュータによって読み取られた場合に、
撮像レンズのフォーカスレンズを移動させて焦点調節を行う焦点調節ステップと、
前記撮像レンズを通過した光学像を撮像し、元画像データを出力するイメージセンサを前記撮像レンズの光軸方向の複数のセンサ位置に移動させるイメージセンサ移動制御ステップと、
前記焦点調節ステップがマニュアルフォーカス操作による焦点調節指示を受け付けた場合に、前記イメージセンサ移動制御ステップを駆動し、前記複数のセンサ位置の各々で被写体を合焦させる合焦制御ステップと、
前記イメージセンサから出力される前記元画像データに基づいて、前記合焦制御ステップによって前記複数のセンサ位置の各々で合焦された前記被写体の画像データを取得する撮像制御ステップと、
前記撮像制御ステップが取得した複数の前記被写体の画像データを解析して前記複数のセンサ位置の各々における画像評価値を算出する画像評価ステップと、
前記複数のセンサ位置の各々で取得した前記画像評価値に基づいて、前記画像データを保存するメモリに保存する前記画像データを決定する保存決定ステップと、
を含む撮像工程をコンピュータに実現させる記録媒体。
【手続補正２】
【補正対象書類名】明細書
【補正対象項目名】００３６
【補正方法】変更
【補正の内容】
【００３６】
好ましくは、焦点調節部は、インナーフォーカス方式又はリアフォーカス方式により、焦点調節を行わせる。
【手続補正３】
【補正対象書類名】明細書
【補正対象項目名】００６５
【補正方法】変更
【補正の内容】
【００６５】
第２位相差検出画素１１８Ｂは、開口部が光電変換部の中心に対して左側に偏心した遮光膜を有する。この結果、第２位相差検出画素１１８Ｂでは、交換レンズ１０の瞳領域の異なる部分を通過した一対の光束のうち他方の光束が受光される。
【手続補正４】
【補正対象書類名】明細書
【補正対象項目名】００９６
【補正方法】変更
【補正の内容】
【００９６】
次に、デジタルカメラ１の操作部１４０であるシャッターボタンが半押しされ、オートフォーカス機能が作動しＡＦ合焦制御部１５０ｂにより合焦される（ステップＳ１１）。具体的には、イメージセンサ１１０の位置は初期位置に固定された状態で焦点調節部２２ａによりフォーカスレンズ１２が移動されて合焦される。ここでイメージセンサ１１０の初期位置は、イメージセンサ移動駆動部１２０によって移動できるセンサ位置の中央であってもよいし、過去の撮影における最適位置判定部２０４の判定結果に基づいて決定した位置であってもよい。そして合焦後、撮像制御部２００により画像が取得され（撮像制御ステップ）、画像評価部２０２により画像評価値が算出される（ステップＳ１２：画像評価ステップ）。
【手続補正５】
【補正対象書類名】明細書
【補正対象項目名】０１０２
【補正方法】変更
【補正の内容】
【０１０２】
その後、時間Ｔ６までスキャンが行われ、時間Ｔ７に交換レンズ１０の焦点位置およびイメージセンサ１１０のセンサ位置は最適位置Ｗに移動する（図７のステップＳ１８に相当）。
【手続補正６】
【補正対象書類名】明細書
【補正対象項目名】０１４７
【補正方法】変更
【補正の内容】
【０１４７】
時間Ｔ１においてスキャン処理が開始される。スキャン処理と同時に、画像評価部２０２は各画像の画像評価値を算出し、最適位置判定部２０４は画像評価値に基づいて逐次最適位置を判定する。時間Ｔ１と時間Ｔ２との間では、イメージセンサ１１０が位相差検出画素１１８を使用して合焦を補助し合焦を維持するよう追従している。位相差検出画素１１８のデータを用いて、ユーザによるフォーカスレンズ１２の移動に合わせて、センサを移動し合焦させるため、追従にはタイムラグがあるが、図１９では省略されている。時間Ｔ２において、最適位置判定部２０４は、以後の移動方向には最適位置が検出されないと判定し、それまで得られていた画像評価値に基づく最適位置に移動する。時間Ｔ２と時間Ｔ３との間のＬ２では、ユーザのマニュアルフォーカス操作にフォーカスレンズ１２の移動がＬ２で示されている。また、時間Ｔ２と時間Ｔ３との間のＬ１では、画像評価値が悪化方向のため追従を止める、または定められたセンサ移動範囲内で追従を止める形態が示されている。
【国際調査報告】
2019188934.tif 000023
2019188934.tif 000024
2019188934.tif 000025
2019188934.tif 000026